(57)【要約】      （修正有）【課題】両側端が中央側に比べて前方側に突出するように湾曲して形成されたディスプレイユニットに適した支持構造を有する曲面ディスプレイ装置を提供する。【解決手段】両側端が中央側に比べて前方側に突出するように湾曲して形成されたディスプレイユニットと、水平面に支持され、内側にディスプレイユニットが設置される支持フレームとを含むディスプレイ装置に関するもので、支持フレームは、その両側端が中央側に比べて前方側に突出するように湾曲して形成されてディスプレイユニットと対応するようになっている。【選択図】図１
2014232323.tif 000002
【特許請求の範囲】
【請求項１】
両側が前方側に突出するように湾曲して形成されたディスプレイユニットと、
下端が水平面に支持され、内側に前記ディスプレイユニットが配置される支持フレームとを含み、
前記支持フレームは、前記ディスプレイユニットと対応するように両側が前方側に突出するように湾曲して形成される、ディスプレイ装置。
【請求項２】
前記支持フレームは、四角リング状に形成される、請求項１に記載のディスプレイ装置。
【請求項３】
前記支持フレームは、前記ディスプレイユニットの後面と同一の曲率で形成される、請求項２に記載のディスプレイ装置。
【請求項４】
前記ディスプレイユニットの前面は、前記ディスプレイユニットの後面よりも小さい曲率を有する、請求項２に記載のディスプレイ装置。
【請求項５】
前記支持フレームは、それぞれ水平方向に延び、上下に離隔して配置された上部フレーム及び下部フレームと、垂直方向に延び、前記上部フレーム及び前記下部フレームの両端を連結する一対の側部フレームとを含み、
前記上部フレーム及び前記下部フレームは、その両側端が、中央部に比べて前方側に突出するように湾曲して形成される、請求項２に記載のディスプレイ装置。
【請求項６】
前記ディスプレイ装置は、ビデオ通話を使用できるように備えられるカメラを含む、請求項５に記載のディスプレイ装置。
【請求項７】
前記カメラは前記支持フレームに設置される、請求項６に記載のディスプレイ装置。
【請求項８】
前記支持フレームは、その両側に配置された一対のメインスピーカーを含む、請求項５に記載のディスプレイ装置。
【請求項９】
前記一対のメインスピーカーは、前記下部フレームの両側に配置される、請求項８に記載のディスプレイ装置。
【請求項１０】
前記ディスプレイユニット及び前記支持フレームのうち少なくとも一つに設置されて、前記ディスプレイユニット及び前記支持フレームが立っている状態を維持するようにするレッグをさらに含む、請求項１に記載のディスプレイ装置。
【請求項１１】
前記ディスプレイユニット及び前記支持フレームは、その上端が後方側に傾くように傾斜して設置される、請求項１０に記載のディスプレイ装置。
【請求項１２】
前記ディスプレイユニットは、ディスプレイパネルと、両側端が中央側に比べて突出するように湾曲して形成されて、前記ディスプレイパネルの後面を支持するボトムシャーシとを含み、
前記ディスプレイパネルは、前記ボトムシャーシに付着され、前記ボトムシャーシと対応する形状に湾曲して変形する、請求項１０に記載のディスプレイ装置。
【請求項１３】
前記ディスプレイパネルは有機発光ダイオードパネルを含む、請求項１２に記載のディスプレイ装置。
【請求項１４】
前記ディスプレイユニットは、前記ボトムシャーシに配置されて前記ボトムシャーシの強度を補強する補強部材をさらに含む、請求項１２に記載のディスプレイ装置。
【請求項１５】
前記ディスプレイユニットは、その中央側から両側端に行くほど次第に狭くなる厚さを有する、請求項１２に記載のディスプレイ装置。
【発明の詳細な説明】
【技術分野】
【０００１】
実施例は、両側端が前方側に突出しているディスプレイユニットを備えた曲面ディスプレイ装置に関する。
【背景技術】
【０００２】
一般に、ディスプレイ装置は、画像信号を受信して画像を表示する装置であって、テレビジョンやモニタなどがこれに属する。
【０００３】
近年、このようなディスプレイ装置の中では、左右両側端が中央側に比べて前方側に突出した曲面形状にディスプレイユニットを形成することで、二次元画像を通じても三次元画像を見るような効果を一部奏することができるようにするディスプレイ装置が提示された。
【発明の概要】
【発明が解決しようとする課題】
【０００４】
実施例の一側面は、両側端が中央側に比べて前方側に突出するように湾曲して形成されたディスプレイユニットに適した支持構造を有する曲面ディスプレイ装置を提供する。
【課題を解決するための手段】
【０００５】
実施例の一側面に係るディスプレイ装置は、両側が前方側に突出するように湾曲して形成されたディスプレイユニットと、下端が水平面に支持され、内側に前記ディスプレイユニットが配置される支持フレームとを含み、前記支持フレームは、前記ディスプレイユニットと対応するように、両側が前方側に突出するように湾曲して形成される。
【０００６】
また、前記支持フレームは、四角リング状に形成することができる。また、前記支持フレームは、前記ディスプレイユニットの後面と同一の曲率で形成することができる。
【０００７】
また、前記ディスプレイユニットの前面は、前記ディスプレイユニットの後面よりも小さい曲率を有することができる。
【０００８】
また、前記支持フレームは、それぞれ水平方向に延び、上下に離隔して配置された上部フレーム及び下部フレームと、垂直方向に延び、前記上部フレーム及び前記下部フレームの両端を連結する一対の側部フレームとを含むことができ、前記上部フレーム及び前記下部フレームは、その両側端が中央部に比べて前方側に突出するように湾曲して形成することができる。
【０００９】
また、前記ディスプレイ装置は、ビデオ通話を使用できるようにするカメラを含むことができる。
【００１０】
また、前記カメラは、前記支持フレームに設置することができる。
【００１１】
また、前記支持フレームは、その両側に配置された一対のメインスピーカーを含むことができる。
【００１２】
また、前記一対のメインスピーカーは、前記下部フレームの両側に配置することができる。
【００１３】
また、前記ディスプレイユニット及び前記支持フレームのうち少なくとも一つに設置されて、前記ディスプレイユニット及び前記支持フレームが立っている状態を維持するようにするレッグをさらに含むことができる。
【００１４】
また、前記ディスプレイユニット及び前記支持フレームは、その上端が後方側に傾くように傾斜して設置されてもよい。
【００１５】
また、前記ディスプレイユニットは、ディスプレイパネルと、両側端が中央側に比べて突出するように湾曲して形成されて前記ディスプレイパネルの後面を支持するボトムシャーシとを含むことができ、前記ディスプレイパネルは、前記ボトムシャーシに付着され、前記ボトムシャーシと対応する形状に湾曲するように変形することができる。
【００１６】
また、前記ディスプレイパネルは有機発光ダイオードパネルを含むことができる。
【００１７】
また、前記ディスプレイユニットは、前記ボトムシャーシに配置されて前記ボトムシャーシの強度を補強する補強部材をさらに含むことができる。
【００１８】
また、前記補強部材は前記ボトムシャーシの前面に配置され、前記ディスプレイパネルと前記補強部材との間には、熱を容易に分散できるようにする放熱シートと、断熱性材質で形成された断熱シートとが配置されてもよい。
【００１９】
また、前記ディスプレイユニットは、その中央側から両側端に行くほど次第に狭くなる厚さを有することができる。
【００２０】
また、前記ディスプレイユニットは、両側端が前方側に突出するように湾曲して形成されるボトムシャーシと、前記ボトムシャーシの後面に配置された少なくとも一つの印刷回路基板とをさらに含むことができ、前記ボトムシャーシは、前記少なくとも一つの印刷回路基板が前記ボトムシャーシの後面と離隔して設置されるようにする複数のスタッド部を含むことができる。
【００２１】
また、前記複数のスタッド部は、前記ボトムシャーシの中央側から両側端に行くほど次第に低くなる高さを有することができる。
【００２２】
また、前記ディスプレイユニットは、前記ボトムシャーシの後面に設置されるサブスピーカーをさらに含むことができ、前記サブスピーカーは、前記ボトムシャーシの中央側から側端側に行くほど次第に薄くなる厚さを有することができる。
【００２３】
また、前記ディスプレイユニットは、画面が表示されるディスプレイパネルと、両側端が前方側に突出するように湾曲して形成されるボトムシャーシと、前記ボトムシャーシに設置される少なくとも一つの印刷回路基板とを含むことができ、前記少なくとも一つの印刷回路基板は、電源の供給のための電源基板と、電源を前記ディスプレイパネルに伝達するパネル駆動基板と、前記ディスプレイパネルに画像信号を伝達するタイミングコントロール基板と、画像及び音信号を処理するための信号処理基板とを含むことができる。
【００２４】
また、前記電源基板は、２つに分割して前記ボトムシャーシに設置することができる。
【００２５】
また、前記電源基板は、前記ボトムシャーシの中央に配置し、前記パネル駆動基板は、前記ボトムシャーシの上部中央に配置し、前記タイミングコントロール基板は、前記ボトムシャーシの下部一側に配置し、前記信号処理基板は、ボトムシャーシの下部他側に配置することができる。
【００２６】
また、前記ディスプレイユニットは、前記ディスプレイユニットの上下左右の４つの側面を形成する側面ケースと、前記ディスプレイユニットの後面を形成する後面ケースとを含むことができる。
【００２７】
また、前記側面ケースは、逆Ｕ字状に形成された第１側面ケースと、樹脂材質で形成され、前記第１側面ケースの下端を連結する第２側面ケースとを含むことができる。
【００２８】
また、前記ディスプレイユニットの下部には、前記ディスプレイ装置が無線でインターネットに接続できるようにするワイファイモジュール、及び前記ディスプレイ装置が外部機器とブルートゥース方式で接続できるようにするブルートゥースモジュールのうち少なくとも一つが配置されてもよい。
【００２９】
また、前記後面ケースは、金属材質で形成された後面板と、前記後面板の前面に付着されて前記後面板を支持する支持板とを含むことができる。また、前記後面ケースは、前記後面板の後面に付着されたアルミニウムシートを含むことができる。
【００３０】
また、前記ディスプレイユニットと前記支持フレームとを連結する一対の連結フレームをさらに含むことができる。
【００３１】
また、前記一対の連結フレームは、上端が前記上部フレームの中央部に固定され、下端が前記ディスプレイユニットの上端中央に連結される上部連結フレームと、上端が前記ディスプレイユニットの下端中央に連結され、下端が前記下部フレームの中央部に連結される下部連結フレームとを含むことができる。
【００３２】
実施例の一側面に係るディスプレイ装置は、両側が前方に突出するように形成された湾曲したディスプレイユニットと、下端が水平面に支持され、内側に前記湾曲したディスプレイユニットが配置される湾曲した支持フレームとを含むことができ、前記湾曲した支持フレームは、前記ディスプレイユニットの形状に対応するように両側が前方側に突出して形成される。
【発明の効果】
【００３３】
上述したように、ディスプレイユニットは、ディスプレイユニットの形状に対応するように湾曲して形成された支持フレームの内側に支持されるので、ディスプレイユニットに適した支持構造を有するディスプレイ装置を提供することができる。
【図面の簡単な説明】
【００３４】
【図１】一実施例に係るディスプレイ装置の正面斜視図である。
【図２】一実施例に係るディスプレイ装置の背面斜視図である。
【図３】一実施例に係るディスプレイ装置の側面図である。
【図４】一実施例に係るディスプレイ装置の平面図である。
【図５】一実施例に係るディスプレイ装置の正面分解斜視図である。
【図６】一実施例に係るディスプレイ装置の背面斜視図である。
【図７】一実施例に係るディスプレイ装置に含まれたディスプレイユニットの正面分解斜視図である。
【図８】一実施例に係るディスプレイ装置に含まれたディスプレイユニットの背面分解斜視図である。
【図９】ディスプレイ装置のボトムシャーシに形成されたスタッド部及びそれに設置された電源基板を示す平面図である。
【図１０】一実施例に係るディスプレイ装置に含まれた下部フレームの分解斜視図である。
【図１１】一実施例に係るディスプレイ装置の正面図である。
【図１２】図５の‘Ａ’部分の拡大図である。
【発明を実施するための形態】
【００３５】
以下では、一実施例に係るディスプレイ装置について図面を参照して詳細に説明する。
【００３６】
一実施例に係るディスプレイ装置１は、図１及び図２に示すように、画像が表示されるディスプレイユニット１０と、下端が水平面に支持され、内側にディスプレイユニット１０が設置されてディスプレイユニット１０を支持する支持フレーム２０と、ディスプレイユニット１０及び支持フレーム２０が安定的に水平面に立っている状態を維持するようにするレッグ３０とを含む。
【００３７】
図３は、ディスプレイ装置１の側面図であって、ディスプレイユニット１０、支持フレーム２０及びレッグ３０が示されている。図４は、ディスプレイユニット１０、支持フレーム２０及びレッグ３０の平面図である。
【００３８】
ディスプレイユニット１０は、図５及び図６に示すように、その両側端が中央側に比べて前方側に突出するように湾曲して形成されて、その前面及び後面が曲面を形成する。
【００３９】
このとき、ディスプレイユニット１０は、前面がその後面よりも相対的に小さい曲率を有するように形成されて、その中央側から両側端に行くほど次第に狭くなる厚さを有する。これは、ディスプレイユニット１０の両端を薄く形成して、ディスプレイユニット１０がスリムに見えるようにすると共に、ディスプレイユニット１０の中央側の内部にディスプレイ装置１の制御のための各種印刷回路基板１５０（図７参照）を収容できるようにするためである。
【００４０】
支持フレーム２０は、四角リング状に形成され、内部にディスプレイユニット１０が設置され、ディスプレイユニット１０と同様に、その両側端が中央側に比べて前方側に突出するように湾曲して形成される。したがって、支持フレーム２０とディスプレイユニット１０とが互いに対応する形状を有するようになるので、ディスプレイ装置１のデザインが統一性を有することができる。
【００４１】
このような支持フレーム２０は、左右方向に延び、上下に互いに離隔して配置される上部フレーム２１及び下部フレーム２２と、上下方向に延び、上部フレーム２１及び下部フレーム２２の両端を互いに連結する一対の側部フレーム２３とを含む。
【００４２】
側部フレーム２３は、直線状に形成され、上部フレーム２１及び下部フレーム２２は、両側端が中央側に比べて前方側に突出するように湾曲して形成される。本実施例において、上部フレーム２１及び下部フレーム２２は、ディスプレイユニット１０の後面と対応する曲率で湾曲して形成される。
【００４３】
レッグ３０は、図５及び図６に示すように、支持フレーム２０の下端中央及びディスプレイユニット１０の下端中央部のうち少なくとも一つに固定され、後方側に延びて、ディスプレイ装置１が設置された水平面に支持される。
【００４４】
したがって、ディスプレイ装置１は、支持フレーム２０の下端両側及びレッグ３０によって水平面に３点支持されるので、水平面に立っている状態を維持することができる。このとき、ディスプレイユニット１０及び支持フレーム２０は、レッグ３０を通じて、その上端が後方側に傾くように傾斜して設置されることで、ディスプレイ装置１が前方側に倒れることを防止することができる。
【００４５】
ディスプレイユニット１０は、図７及び図８に示すように、画像が表示されるディスプレイパネル１１０と、ディスプレイパネル１１０の後面を支持するボトムシャーシ１２０と、ディスプレイパネル１１０の前面外郭側を覆うトップシャーシ１３０とを含む。
【００４６】
また、ディスプレイユニット１０は、ディスプレイユニット１０の上下左右の４つの側面を形成して、ディスプレイパネル１１０及びボトムシャーシ１２０の側面を覆う側面ケース１６０と、ボトムシャーシ１２０の後方側に結合されてディスプレイユニット１０の後面を形成し、ボトムシャーシ１２０の後面及び後述する印刷回路基板１５０を覆う後面ケース１８０とを含み、側面ケース１６０及び後面ケース１８０によってディスプレイユニット１０の外観が形成される。
【００４７】
ディスプレイパネル１１０は有機発光ダイオードパネル（図示せず）からなる。有機発光ダイオードパネルは、フレキシブルなフィルム状からなるので、容易に曲げることができる。
【００４８】
ボトムシャーシ１２０は、金属材質の板で形成されて、ディスプレイユニット１０の後面を形成する。ボトムシャーシ１２０の前面には、ボトムシャーシ１２０の強度を補強するための補強部材１４０が設置され、ボトムシャーシ１２０の後面には、ディスプレイ装置１の動作を制御するための各種印刷回路基板１５０が設置される。
【００４９】
補強部材１４０は、内部にハニカム構造が形成されたハニカムパネルからなって、軽いながらも十分な強度を確保できるようになっている。
【００５０】
トップシャーシ１３０は、四角リング状に形成されて、ディスプレイパネル１１０の前面外郭側を支持し、ディスプレイパネル１１０がボトムシャーシ１２０に設置された状態を維持できるようにする。
【００５１】
このとき、上述したボトムシャーシ１２０、トップシャーシ１３０及び補強部材１４０はそれぞれ湾曲して形成され、補強部材１４０の内面には、上述したように、フレキシブルなフィルム状からなって容易に曲げることができるディスプレイパネル１１０が付着される。したがって、ディスプレイパネル１１０は、湾曲して形成された補強部材１４０に付着する過程で、ボトムシャーシ１２０及び補強部材１４０と対応する形状に曲がる。すなわち、ディスプレイパネル１１０は、ボトムシャーシ１２０及び補強部材１４０と対応するようにその両側端が前方側に突出するように湾曲される。
【００５２】
また、補強部材１４０とディスプレイパネル１１０との間には、熱伝導率の高い材質で形成されて、ディスプレイパネル１１０から発生した熱を短時間内に分散して放熱できるようにする放熱シート１４１と、断熱性材質で形成され、放熱シート１４１とボトムシャーシ１２０との間に配置されて、ディスプレイパネル１１０から発生した熱が後方側に伝達されることを防止するための断熱シート１４２とが配置される。本実施例において、放熱シート１４１はグラファイトシートからなり、断熱シート１４２はポロンシートからなっている。
【００５３】
上記において、ボトムシャーシ１２０及び補強部材１４０は、左右両側端が前方側に突出するように湾曲した形状に形成され、ディスプレイパネル１１０は、平板状に形成されるが、ボトムシャーシ１２０及び補強部材１４０によって支持される過程で、ボトムシャーシ１２０及び補強部材１４０と対応するように左右両側端が前方側に突出した曲面形状に変形する。また、放熱シート１４１及び断熱シート１４２は、フレキシブルな材質で形成されるので、補強部材１４０と対応するように左右両側端が前方側に突出した曲面形状に変形する。
【００５４】
印刷回路基板１５０は、平板状の基板に各種電気部品が実装されているもので、外部電源と接続してディスプレイ装置１に電源を供給できるようにする電源基板１５１と、電源をディスプレイパネル１１０に伝達して、ディスプレイパネル１１０が駆動できるようにするパネル駆動基板１５２と、ディスプレイパネル１１０に画像信号を伝達するタイミングコントロール基板１５３と、各種画像及び音信号を処理するための信号処理基板１５４とを含む。
【００５５】
電源基板１５１は、２つに分割されてボトムシャーシ１２０の中央両側に配置される。これは、曲面からなるボトムシャーシ１２０に対応するためであり、これによって、電源基板１５１とボトムシャーシ１２０の後面との間の距離を一定以下に維持することができる。
【００５６】
パネル駆動基板１５２は、ボトムシャーシ１２０の上部中央に配置される。タイミングコントロール基板１５３は、ボトムシャーシ１２０の下部一側に配置され、信号処理基板１５４は、ボトムシャーシ１２０の下部他側に配置される。
【００５７】
本実施例において、ボトムシャーシ１２０の後面には、電源基板１５１及びパネル駆動基板１５２と対応する位置に絶縁シート１５５，１５６が配置されて、電源基板１５１及びパネル駆動基板１５２とボトムシャーシ１２０との間で電気的な干渉が発生することを防止することができる。
【００５８】
ボトムシャーシ１２０の後面一側には、ウーファースピーカーのようなサブスピーカー１９０が配置される。本実施例において、サブスピーカー１９０は、Ｌ字状に形成され、ボトムシャーシ１２０の中央側に位置した部位がボトムシャーシ１２０の一側端側に位置した部位よりも厚い厚さを有するように、ボトムシャーシ１２０の中央側から側端側に行くほど次第に薄くなる厚さを有するように形成される。
【００５９】
また、ボトムシャーシ１２０には、図９に示すように、上述した印刷回路基板１５０がボトムシャーシ１２０の後面と離隔した状態で設置され得るように、スタッド部１２１が設けられる。
【００６０】
スタッド部１２１は、ボトムシャーシ１２０から後方側に一体に突設され、後方側に突出したスタッド部１２１の先端に、印刷回路基板１５０がスクリューなどを介して固定されることで、印刷回路基板１５０を、ボトムシャーシ１２０の後面と離隔した状態でボトムシャーシ１２０に固定設置できるようにする。
【００６１】
上述したように、ボトムシャーシ１２０は曲面で形成されている反面、印刷回路基板１５０は平板状に形成されるので、曲面からなるボトムシャーシ１２０に平板状の印刷回路基板１５０を設置できるように、スタッド部１２１は、その高さが位置によって異なるように形成される。
【００６２】
上述したように、ディスプレイユニット１０は、その中央側の厚さがその両側端側の厚さに比べて厚いので、印刷回路基板１５０をディスプレイユニット１０内に効率的に設置できるように、スタッド部１２１は、ボトムシャーシ１２０の中央側の近くに位置したスタッド部１２１が、両側端の近くに位置したスタッド部１２１に比べて高い高さを有するように形成される。すなわち、スタッド部１２１の高さは、ボトムシャーシ１２０の中央側から両側端に行くほど次第に低くなるようになっている。本実施例において、スタッド部１２１の高さは、ボトムシャーシ１２０の中央部を中心として両側に対称に形成される。
【００６３】
また、ディスプレイユニット１０の下部には、図１１に示すように、ディスプレイ装置１が無線でインターネットに接続できるようにするワイファイモジュール１０ａと、ディスプレイ装置１が外部機器とブルートゥース方式で接続できるようにするブルートゥースモジュール１０ｂとが配置される。また、ディスプレイユニット１０の後面一側には、ディスプレイ装置１の電源をオン／オフできるようにする電源ボタン１０ｃ（図２参照）が配置される。
【００６４】
側面ケース１６０は、図７に示すように、四角リング状に形成されて、上述したディスプレイパネル１１０、ボトムシャーシ１２０及び両者の間に配置される構成の上下左右側の４つの側面を覆う。側面ケース１６０は、金属からなり、逆Ｕ字状に形成された第１側面ケース１６１と、第１側面ケース１６１の下端を連結する第２側面ケース１６２とからなる。第１側面ケース１６１は金属材質で形成され、第２側面ケース１６２は樹脂材質で形成される。これは、第２側面ケース１６２を介して、ディスプレイユニット内に内蔵されたワイファイモジュール１０ａ及びブルートゥースモジュール１０ｂなどが外部機器と無線通信を行うことができるようにするためである。
【００６５】
後面ケース１８０は、金属材質で形成され、後面ケース１８０の後面を形成する後面板１８１と、樹脂材質で形成され、後面板１８１の前面に付着されて、後面板１８１が一定の曲率で湾曲して形成された状態を維持できるようにする支持板１８２とを含み、後面板１８１の後面にはアルミニウムシート（図示せず）が付着される。
【００６６】
このように後面ケース１８０を構成することは、アルミニウムシートを後面ケース１８０の後面、すなわち、後面板１８１の後面に付着できると共に、後面ケース１８０が支持板１８２を通じて十分な強度を有するようにするためである。
【００６７】
ディスプレイユニット１０は、図７に示すように、一対の連結フレーム４０Ｕ，４０Ｌを介して支持フレーム２０に連結される。本実施例において、ディスプレイユニット１０は、２つの連結フレーム４０Ｕ，４０Ｌを介して支持フレーム２０に固定設置される。一対の連結フレーム４０Ｕ，４０Ｌは、上端が上部フレーム２１の中央部に連結され、下端がディスプレイユニット１０の上端中央に連結される上部連結フレーム４０Ｕと、その上端がディスプレイユニット１０の下端中央に連結され、下端が下部フレーム２２の中央部に連結される下部連結フレーム４０Ｌとを含む。したがって、ディスプレイユニット１０の上端中央部は、上部連結フレーム４０Ｕを介して上部フレーム２１の中央部に連結され、ディスプレイユニット１０の下端中央部は、下部連結フレーム４０Ｌを介して下部フレーム２２の中央部に連結される。
【００６８】
支持フレーム２０の上部中央、すなわち、上部フレーム２１の中央には使用者がディスプレイ装置１を介してビデオ通話を使用できるようにするカメラ２０ａ（図１２参照）が配置され、支持フレーム２０の下部、すなわち、下部フレーム２２の両側には、図１１に示すように、音信号を受信して音を発生させるメインスピーカー２０ｂ（図１０及び図１１参照）がそれぞれ配置される。また、下部フレーム２２の中央側には、リモコン信号を受信する赤外線受信モジュール２０ｃが配置される。
【００６９】
本実施例において、上述したカメラ２０ａは、図１２に示すように、上部連結フレーム４０Ｕの上端部に固定されて、上部連結フレーム４０Ｕの上端が上部フレーム２１に固定される過程で上部フレーム２１に固定される。
【００７０】
上述した上部連結フレーム４０Ｕには、カメラ２０ａとディスプレイユニット１０の内部の印刷回路基板１５０とを連結する電線（図示せず）が貫設され、下部連結フレーム４０Ｌには、メインスピーカー２０ｂ及び赤外線受信モジュール２０ｃとディスプレイユニット１０の内部の印刷回路基板１５０とを連結する電線（図示せず）が貫設されて、印刷回路基板１５０からカメラ２０ａ、メインスピーカー２０ｂ及び赤外線受信モジュール２０ｃに電源及び信号を伝達できるようになっている。
【００７１】
上記では、電源ボタン１０ｃ、メインスピーカー２０ｂ、サブスピーカー１９０、赤外線受信モジュール２０ｃ、ブルートゥースモジュール１０ｂ及びワイファイモジュール１０ａが設置された位置が、ディスプレイユニット１０または支持フレーム２０のいずれかに設置されたものとして説明しているが、これは限定のためのものではなく、上記のような構成は、ディスプレイ装置１の設計またはデザインによって、ディスプレイユニット１０または支持フレーム２０のいずれかに選択的に設置されてもよい。
【００７２】
本実施例において、補強部材１４０は、軽いながらも十分な剛性を有するようにハニカムパネルからなっているが、これに限定されるものではなく、補強部材１４０が、熱を迅速に分散させることができるヒートスプレッダなどからなって、印刷回路基板１５０から発生した熱を迅速に分散して放熱させる放熱部材の役割を果たすようにすることもできる。また、補強部材１４０を断熱性材質で形成することで、印刷回路基板１５０から発生した熱がディスプレイパネル１１０側に伝達されることを防止する断熱部材の役割を果たすようにすることができる。
【００７３】
本実施例において、ディスプレイパネル１１０は、補強部材１４０を通してボトムシャーシ１２０に設置されるようになっているが、これに限定されるものではなく、ボトムシャーシ１２０が十分な強度を持つことによって、ボトムシャーシ１２０自体が、曲面で形成された状態を維持することができ、ディスプレイパネル１１０が湾曲するように支持することができる場合には、補強部材１４０に対応する構成なしに、ディスプレイパネル１１０がボトムシャーシ１２０に直接設置されるようにしてもよい。
【００７４】
本実施例において、ディスプレイユニット１０は、連結フレーム４０Ｕ，４０Ｌを通して支持フレーム２０に固定設置されているが、これは一実施例に過ぎず、ディスプレイユニット１０が支持フレーム２０内に左右方向に回転可能に設置されるようにしてもよい。
【００７５】
また、支持フレーム２０の内部の高さを、ディスプレイユニット１０に比べて高く形成することで、ディスプレイユニット１０が、支持フレーム２０内に上下に移動可能に設置されるようにするか、または支持フレーム２０の内部の左右幅を、ディスプレイユニット１０の左右幅に比べて長く形成することで、ディスプレイユニット１０が、支持フレーム２０に左右に移動可能に設置されるようにしてもよい。
【００７６】
本実施例において、ディスプレイユニット１０の後面は、支持フレーム２０と同一の曲率で形成され、ディスプレイユニット１０の前面は、後面に比べて小さい曲率を有するように形成されているが、これに限定されるものではなく、ディスプレイ装置１のデザインによって様々な曲率で形成されるようにしてもよい。
【００７７】
本実施例において、ディスプレイパネル１１０は、容易に曲がる有機発光ダイオードパネルからなっており、湾曲して形成されたボトムシャーシ１２０または補強部材１４０に付着されながら湾曲形状に曲がるようになっているが、これに限定されるものではなく、ディスプレイパネル１１０が、湾曲状態で製造された液晶表示パネルで形成されるようにしてもよい。
【００７８】
本実施例において、スタッド部１２１は、ボトムシャーシ１２０の中央側の近くに位置したスタッド部１２１が、両側端の近くに位置したスタッド部１２１に比べて高い高さを有するように形成されるが、これに限定されるものではなく、場合によっては、逆に、ディスプレイ装置のスタッド部１２１は、ボトムシャーシ１２０の中央側の近くに位置したスタッド部１２１が、両側端の近くに位置したスタッド部１２１に比べて低い高さを有するようにボトムシャーシ１２０の中央部を中心として対称に形成してもよい。
【００７９】
本実施例において、支持フレーム２０は四角リング状に形成されているが、これに限定されるものではなく、下部フレーム２２に対応する構成を削除し、支持フレーム２０が逆Ｕ字状に形成されるようにしてもよい。
【００８０】
本実施例において、ディスプレイユニット１０は、別々に設けられた側面ケース１６０と後面ケース１８０を含んでいるが、これに限定されるものではなく、一つのケース（図示せず）によってディスプレイユニット１０の上下左右の４つの側面と後面が形成されるようにしてもよい。
【００８１】
以上では、本発明の一実施例について図示し説明したが、本発明は、上述した実施例に限定されるものではなく、本発明の思想を逸脱しない範囲で様々な修正及び変形が可能であるということは、当該技術の分野における通常の知識を有する当業者にとって明らかである。したがって、修正例または変形例は本発明の特許請求の範囲に属するものと解さねばならない。
【符号の説明】
【００８２】
１      ディスプレイ装置
１０    ディスプレイユニット
１１０  ディスプレイパネル
１２０  ボトムシャーシ
１３０  トップシャーシ
１４０  補強部材
１５０  印刷回路基板
１６０  側面ケース
１８０  後面ケース
２０    支持フレーム
２１    上部フレーム
２２    下部フレーム
２３    側部フレーム
３０    レッグ
【図１】
2014232323.tif 000003
【図２】
2014232323.tif 000004
【図３】
2014232323.tif 000005
【図４】
2014232323.tif 000006
【図５】
2014232323.tif 000007
【図６】
2014232323.tif 000008
【図７】
2014232323.tif 000009
【図８】
2014232323.tif 000010
【図９】
2014232323.tif 000011
【図１０】
2014232323.tif 000012
【図１１】
2014232323.tif 000013
【図１２】
2014232323.tif 000014